(57)【特許請求の範囲】
【請求項１】
所定のフレームレートで映像信号を再生する信号送受信装置と、所定のフレームレートで映像信号を切り換え、前記信号送受信装置との通信を行い電池により駆動する液晶シャッター式眼鏡装置と、を含む信号処理システムにおける前記信号送受信装置としての信号処理装置であって、
前記液晶シャッター式眼鏡装置の電池容量の情報を受信する受信部と、
所定のフレームレートで映像信号を再生する信号処理部と、
前記信号処理部にて所定のフレームレート情報と、再生する映像信号の時間情報とから、再生に必要な液晶シャッター式眼鏡装置の電池容量を算出する算出部と、
前記算出部にて算出した電池容量と、前記液晶シャッター式眼鏡装置から受信した電池容量の情報とを比較する比較部と、
前記比較部にて比較した結果に基づいて、前記液晶シャッター式眼鏡装置を用いて視聴可能な時間を示す表示信号を生成する表示信号生成部と、
を有することを特徴とする信号処置装置。
【発明の詳細な説明】
【技術分野】
【０００１】
本発明は、例えばシャッター式眼鏡を用いた立体映像信号処理システムにおける映像信号処理装置のように、装置間で双方向に通信を行うことで情報のやり取りをすることが可能なシステムにおける信号処理装置に関する。
【背景技術】
【０００２】
第１の装置から電池駆動の第２の装置に対して通信により動作を指示するシステムにおいて、第２の装置の動作の内容の管理の要部を第１の装置が行っている場合には、第２の装置の電池の容量が第１の装置の指示によって大きく変動することがある。
例えば、近年実用化されている立体映像処理システムの方式の一つとして、左右の映像を表示装置に交互に時分割表示させ、その表示装置に表示した左右の映像と同期して左右の眼鏡が交互に開閉する液晶シャッター式眼鏡等を通して視聴することで立体映像を視聴させる方式が知られている。シャッター式眼鏡を使用する方式では視聴者の視聴時の自由度を上げるため、シャッター式眼鏡には信号受信用や電源供給用のケーブルをつけないことが望ましい。特許文献１（特開平９−５９０４号公報）にはシャッター式眼鏡に電池を搭載することが記載されている。また特許文献２（特開平８−２６５８６３号公報）には、シャッター式眼鏡を電池駆動する場合の電力の低減に関する記述がされている。
【０００３】
立体映像処理システムには、表示装置として液晶テレビ等が使われる場合がある。液晶テレビ等の表示方式では応答性の改善が求められているが、例えば応答性を向上させるために、表示するフレーム数を通常の３０（６０）フレーム／秒ではなく、２倍速の６０（１２０）フレーム／秒や４倍速の１２０（２４０）フレーム／秒で駆動するものが実用化されている。また高速駆動が可能な液晶テレビに対応した立体映像処理システムや立体映像コンテンツも実用化されている。しかしながら、全ての立体映像処理システムが高フレームレートに対応したものではないため、立体映像コンテンツは高フレームレートに対応したものと対応していないものが混在してテレビ放送局から放送されたり、ＤＶＤやブルーレイディスク（ＢＤ）等のパッケージメディアとして市場に流通することが考えられる。従って、この場合立体映像処理装置は処理する立体映像コンテンツの仕様によってフレームレートを切り換える必要があり、同様に、同期して開閉するシャッター式眼鏡のフレームレート（開閉の周期）も切り換える必要がある。
【先行技術文献】
【特許文献】
【０００４】
【特許文献１】特開平９−５９０４号公報
【特許文献２】特開平８−２６５８６３号公報
【発明の概要】
【発明が解決しようとする課題】
【０００５】
第１の装置から電池駆動の第２の装置に対して通信により動作を指示するシステムにおいて、第２の装置の動作の内容の管理の要部を第１の装置が行っている場合には、第２の装置の電池の容量が第１の装置の指示によって変動するため、所定の動作を行う場合に、第２の装置の電池容量がどの程度必要かを予測することは困難である。
【０００６】
例えばシャッター式眼鏡を使用する立体映像処理システムにおいて、シャッター式眼鏡の電源を眼鏡に組み込んだ電池で供給する場合、ユーザーは眼鏡を装着した状態で立体映像視聴中に電池容量を直接確認することができない。このため、シャッター式眼鏡の電池容量がなくなることにより、視聴途中で突然シャッター式眼鏡が開閉しなくなり立体映像の視聴ができなくなるという問題があった。また、シャッター式眼鏡の電力消費量はシャッターを開閉するフレームレートに大きく依存するため、処理するコンテンツによってフレームレートが変わる場合、希望するコンテンツを視聴するために、シャッター式眼鏡の電池容量がどの程度必要なのかユーザが予測することは困難である。
【０００７】
本発明はこのような問題点に鑑みなされたものであり、例えば、視聴しようとするコンテンツの再生時間に対してシャッター式眼鏡の電池容量に余裕があるか否かをユーザーが容易に認識できる立体映像処理装置のように、第１の装置から電池駆動の第２の装置に対して通信により動作を指示して、第１の装置として所定の動作を行うシステムにおいて、第２の装置の動作の内容の管理の要部を第１の装置が行っている場合に、第２の装置の電池容量がどの程度必要なのかをユーザーが容易に認識できる信号処理装置を提供することを目的とする。
【課題を解決するための手段】
【０００８】
本発明は、上述した従来の技術の課題を解決するため、次の（ａ）の信号処理装置を提供する。
（ａ）所定のフレームレートで映像信号を再生する信号送受信装置（１００）と、所定のフレームレートで映像信号を切り換え、前記信号送受信装置との通信を行い電池により駆動する液晶シャッター式眼鏡装置（２００）と、を含む信号処理システムにおける前記信号送受信装置としての信号処理装置であって、前記液晶シャッター式眼鏡装置の電池容量の情報を受信する受信部（１１４）と、所定のフレームレートで映像信号を再生する信号処理部（１１０）と、前記信号処理部にて所定のフレームレート情報と、再生する映像信号の時間情報とから、再生に必要な液晶シャッター式眼鏡装置の電池容量を算出する算出部（１２０）と、前記算出部にて算出した電池容量と、前記液晶シャッター式眼鏡装置から受信した電池容量の情報とを比較する比較部（１１６）と、前記比較部にて比較した結果に基づいて、前記液晶シャッター式眼鏡装置を用いて視聴可能な時間を示す表示信号を生成する表示信号生成部（１２２）と、を有することを特徴とする信号処置装置。
【発明の効果】
【０００９】
本発明の信号処理装置によれば、第１の装置から電池駆動の第２の装置に対して通信により動作を指示して、第１の装置として所定の動作を行うシステムにおいて、第２の装置の動作の内容の管理の要部を第１の装置が行っている場合に、第２の装置の電池容量がどの程度必要なのかをユーザーが容易に認識できる。
また本発明の信号処理装置を応用した立体映像処理システムによれば、視聴しようとするコンテンツの再生時間に対して、シャッター式眼鏡の電池容量に余裕があるか否かをユーザーが容易に認識することができる。
【図面の簡単な説明】
【００１０】
【図１】立体映像信号処理システムの例を示す図である。
【図２】実施形態１に係る、立体映像信号処理システムの構成例を示すブロック図である。
【図３】信号処理装置の動作を説明するためのフローチャートである。
【図４】ＯＳＤ表示例を示す図である。
【図５】別のＯＳＤ表示例を示す図である。
【図６】別のＯＳＤ表示例を示す図である。
【図７】実施形態２に係る、立体映像信号処理システムの構成例を示すブロック図である。
【発明を実施するための形態】
【００１１】
以下、本発明の実施形態について、図面を参照して説明する。
【００１２】
図１に、液晶シャッター式眼鏡を用いた立体映像処理システムの例を示す。立体映像処理システムは信号処理装置１００と、立体映像を構成する左右映像信号に同期してシャッターを開閉する液晶シャッター式眼鏡２００と、表示装置３００で構成される。信号処理装置１００は映像ケーブル等で表示装置３００に映像信号を送出する。また表示装置３００から信号処理装置１００へは、表示装置３００が対応可能なフレームレートに関する情報を伝送できる構成になっていることが好ましい。表示装置３００は映像を表示できる装置で、例えば液晶テレビであり、図では信号処理装置１００と別体としているが一体構成でも良い。シャッター式眼鏡２００は電源として充電式リチウムイオンバッテリー等の小型電池２１０を内蔵しており、信号処理装置１００とシャッター式眼鏡２００は赤外線やＲＦ信号等によって双方向通信可能となっている。
【００１３】
信号処理装置１００は時分割方式で立体映像を処理し、表示装置３００に左目用映像と右目用映像を交互に時分割表示させると同時に、処理信号から抽出したタイミング信号をシャッター式眼鏡２００に送る。液晶シャッター式眼鏡２００は受信したタイミング信号を元に左右のシャッターを交互に開閉する。この動作により視聴者は左目用映像と右目用映像をそれぞれ左目と右目で交互に視聴し、立体映像として認識する。
【００１４】
（実施形態１）
図２を用いて各部の構成を説明する。図２は本発明の実施形態１に関る、立体映像処理システムの構成例を示すブロック図である。図１と共通する部分には共通の番号を付与する。
信号処理装置１００は、チューナ部１０２、記録媒体再生部１０４、記録再生部１０６、付加情報解析部１０８、信号処理部１１０、フレームレート決定部１１２、状態信号受信部１１４、比較部１１６、表示装置対応フレームレート検出部１１８、必要電池容量算出部１２０、ＯＳＤ生成部１２２、ＯＳＤ合成部１２４、タイミング信号送信部１２６、映像信号送出部１２８から構成される。
【００１５】
チューナ部１０２は放送信号を受信して復号し、復号した信号を付加情報解析部１０８に送る。記録媒体再生部１０４は、ＤＶＤやブルーレイディスク（ＢＤ）等のディスク媒体やメモリー記録媒体またはテープ記録媒体等を再生する機能の内少なくとも一つの機能を有し、再生した信号を付加情報解析部１０８に送る。記録再生部１０６はＨＤＤ等で構成され、立体映像信号を含む信号を記録し再生する機能を有し、再生した信号を付加情報解析部１０８に送る。尚、信号処理装置１００はチューナ部１０２、記録媒体再生部１０４、記録再生部１０６の全てを備えている必要は無く、その内少なくとも一つを有していれば良い。
【００１６】
付加情報解析部１０８は、チューナ部１０２または記録媒体再生部１０４または記録再生部１０６から受け取った信号から、視聴しようとしている番組の表示時間と対応フレームレートを解析し、解析結果をフレームレート決定部１１２に送り、受け取った信号は信号処理部１１０に送る。
状態信号受信部１１４はシャッター式眼鏡２００から、電池容量に関するデータを含んだ信号を受信しシャッター式眼鏡の電池容量に関するデータを比較部１１６に送る。
表示装置対応フレームレート検出部１１８は表示装置３００から受け取った信号から、表示装置３００の対応フレームレートを検出し、検出結果をフレームレート決定部１１２に送る。
【００１７】
フレームレート決定部１１２は視聴しようとしている番組の対応フレームレート情報と表示装置の対応フレームレート情報とから、後述する手順で、視聴しようとしている番組を表示するフレームレートを決定し、信号処理部１１０と必要電池容量算出部１２０に送る。
必要電池容量算出部１２０は視聴しようとしている番組を表示するフレームレート情報と表示時間情報から、視聴しようとしている番組を視聴するためにシャッター式眼鏡に必要な電池容量（必要電池容量）を算出し、比較部１１６に送る。
比較部１１６は状態信号受信部１１４から受け取ったシャッター式眼鏡２００の電池容量情報と、必要電池容量算出部１２０から受け取った必要電池容量情報を比較し、比較結果をＯＳＤ生成部１２２に送る。ＯＳＤ生成部１２２は受け取った比較結果に対応したＯＳＤ信号を生成しＯＳＤ合成部１２４に送る。
【００１８】
信号処理部１１０は付加情報解析部１０８から受け取った信号を、フレームレート決定部１１２で決定したフレームレートにて表示装置に表示するフォーマットに変換処理し、ＯＳＤ合成部１２４に送る。また信号処理部１１０は、左右映像信号のフレームタイミングに同期してシャッター式眼鏡を開閉させる、タイミング信号を生成してタイミング信号送信部１２６に送る。タイミング信号送信部１２６は受け取ったタイミング信号をシャッター式眼鏡２００との通信方式に従ってコード化し送信する。
ＯＳＤ合成部１２４は信号処理部１１０から受け取った映像信号に、ＯＳＤ生成部１２２から受け取ったＯＳＤ信号を合成して映像信号送出部１２８に送る。
映像信号送出部１２８は映像信号を送出し、送出された映像信号は表示装置３００に入力され表示される。
【００１９】
シャッター式眼鏡２００は、タイミング信号受信部２０２、液晶シャッター駆動部２０４、左目用シャッター２０６Ｌ、右目用シャッター２０６Ｒ、電池２１０、電池容量検出部２１２、状態信号送信部２１４から構成される。
タイミング信号受信部２０２は信号処理装置１００のタイミング信号送信部１２６から送信されたタイミング信号を受信する。タイミング信号受信部２０２は受信したタイミング信号を複号化して液晶シャッター駆動部２０４に送る。液晶シャッター駆動部２０４は受け取ったタイミング信号に従って左目用シャッター２０６Ｌと右目用シャッター２０６Ｒを動作させる。左目用シャッター２０６Ｌと右目用シャッター２０６Ｒは表示装置３００で表示する左右映像の表示タイミングに合わせて交互に開閉される。
【００２０】
電池２１０はシャッター式眼鏡２００駆動用の電源であり、例えば充電式リチウムイオンバッテリー等の小型電池である。電池容量検出部２１２は、電池２１０の容量を検出する。具体的には、充電または交換した時の電源電圧と現電圧との差や、場合によっては電圧低下カーブまたは消費電流を検出したり、または温度センサーによって電池の容量特性を測定することで容量検出を行う。
電池容量検出部２１２は、検出結果をデータ化して状態信号送信部２１４に送る。状態信号送信部２１４は、受け取ったデータを信号処理装置１００との通信方式に従ってコード化し送信する。
【００２１】
以下、更に図３を使って信号処理の流れを説明する。図３は信号処理装置の動作を説明するためのフローチャートである。
ステップＳ１で、ユーザがチューナ部１０２を通して放送番組の視聴予約をしたり、記録媒体再生部１０４に再生用ディスクをセットしたり、或いは記録再生部１０６のＨＤＤの再生リスト表示をしたことを付加情報解析部１０８が検出するとステップＳ２に進む。
ステップＳ２で表示装置対応フレームレート検出部１１８は表示装置３００の対応フレームレートを検出し、検出結果をフレームレート決定部１１２に送る。表示装置３００から信号処理装置１００へ情報を伝送するケーブルがつながっていなかったり、元々表示装置３００が対応フレームレートに関する情報を出力する機能がない等の理由で、信号処理装置１００が表示装置３００から対応フレームレートに関する情報を受け取れない場合、表示装置対応フレームレート検出部１１８は表示装置３００の対応フレームレートがデフォルト値（例えば３０フレーム／秒）の１種類であると判断する。  
【００２２】
ステップＳ３で付加情報解析部１０８は視聴しようとしている番組の対応フレームレートを検出する。
視聴しようとしている番組が放送信号の場合、ＥＰＧ情報から対応フレームレートを検出する。記録媒体または記録再生部に記録された番組の場合、番組信号に付加されている仕様に関する情報から対応フレームレートを検出する。いずれの場合も対応フレームレート情報が検出できない場合、付加情報解析部１０８は、視聴しようとしている番組の対応フレームレートがデフォルト値（例えば３０フレーム／秒）の１種類のみと判断する。
【００２３】
ステップＳ４で付加情報解析部１０８は表示装置３００の対応フレームレート情報と、視聴しようとする番組の対応フレームレート情報とから、設定可能なフレームレートを算出して、算出結果をフレームレート決定部１１２に送る。フレームレートは表示装置と視聴しようとしている番組の双方で共通に対応しているレートに設定が可能である。例えば視聴しようとする番組の対応フレームレートが３０フレーム／秒，６０フレーム／秒，１２０フレーム／秒，２４０フレーム／秒の４種類で、表示装置の対応フレームレートが３０フレーム／秒，６０フレーム／秒の２種類であった場合、設定可能なフレームレートは３０フレーム／秒と６０フレーム／秒の２種類となる。
【００２４】
ステップＳ５でフレームレート決定部１１２は表示フレームレートを決定する。通常は設定可能なフレームレートの内、最も高いフレームレートに決定する。
この時更に、視聴しようとしている番組の内容を加味して表示フレームレートを決定する構成としても良い。例えば視聴しようとしている番組が、スポーツ等の動きの速い映像の場合は設定可能なフレームレートの内、最も高いフレームレートに設定し、風景映像のような動きの少ない映像の場合は低いフレームレートに設定する。動きの少ない映像を高いフレームレートで表示することによる視覚上のメリットは少ないので、動きの少ない映像の場合、表示フレームレートを低く設定することでシャッター式眼鏡の電力消費を節約することができる。
【００２５】
ステップＳ６で付加情報解析部１０８は視聴しようとしている番組の再生時間を検出し、検出結果を必要電池残量算出部１２０に送る。
視聴しようとしている番組が放送信号の場合、ＥＰＧの再生時間情報または放送開始時間情報と終了時間情報から再生時間を検出する。記録媒体または記録再生部に記録した番組を再生する場合、番組信号に付加されている仕様に関する情報から再生時間を検出する。
ステップＳ７で必要電池容量算出部１２０は、フレームレート決定部１１２から受け取ったフレームレート情報と付加情報解析部１０８から受け取った再生時間情報とから、視聴しようとしている番組を視聴するためにシャッター式眼鏡に必要な電力量を算出し、算出結果を比較部１１６に送る。
【００２６】
ステップＳ８で状態信号受信部１１４は、シャッター式眼鏡２００から受信した状態信号から、シャッター式眼鏡２００の電池容量を検出する。
ステップＳ９で比較部１１６は、必要電池容量算出部１２０から受け取った必要電池容量情報と状態信号受信部１１４から受け取ったシャッター式眼鏡の電池容量情報を比較し、比較結果に応じたＯＳＤを生成するようにＯＳＤ生成部１２２を制御する。
【００２７】
図４、図５を用いてＯＳＤ表示例を説明する。図４はシャッター式眼鏡の電池容量に余裕がある場合のＯＳＤ表示例である。図４（ａ）は情報を文字で表示した例で、図４（ｂ）は情報をイラスト付きで表示した例である。図４（ａ）では再生時間が１２０分であり、表示フレームレートの設定は６０フレーム／秒であることを示している。眼鏡１〜４容量として表示している数値は、表示フレームレートを６０フレーム／秒と設定した場合に各眼鏡の現在の電池容量で何分間駆動できるかを示している。ここでは最も容量が多い眼鏡２は６００分駆動可能で、最も容量が少ない眼鏡４でも１８０分駆動可能なので、眼鏡１〜４共、視聴しようとしている１２０分の番組を問題なく視聴することができる。
【００２８】
図４（ｂ）はイラスト付きで表示した例であり、再生時間と表示フレームレートは文字で表示しているが電池容量はイラスト表示されており、電池を表わすイラストの斜線部分が多いほど電池容量が多いことを示している。また、必要容量として矢印表示しているのは、再生フレームレート６０フレーム／秒の条件で１２０分駆動するために必要な電池容量を示している。最も電池容量の少ない眼鏡４でも必要容量以上の電池容量となっており、視聴しようとしている１２０分の番組を問題なく視聴することができる。
【００２９】
図５は電池容量に余裕がないシャッター式眼鏡がある場合の表示例である。比較のために図５は、シャッター式眼鏡の電池容量と視聴しようとしている番組の再生時間が図４の場合と同じで、表示フレームレートのみが図４の例で示した６０フレーム／秒の倍の１２０フレーム／秒となった場合の例を示している。シャッター式眼鏡はシャッターの開閉頻度が多くなるとその開閉頻度に応じて消費電力が増加するため、図４（ａ）と図５（ａ）を比較すると、図５（ａ）では図４（ａ）に対し、各眼鏡の電池容量として表示されている時間が半分になっている。このため、最も電池容量が少ない眼鏡４での駆動可能時間は９０分になってしまっていて、１２０分の番組再生終了前に電池容量がなくなることが予想されるので、視聴者に注意を促すため、眼鏡４の表示部は白黒反対の表示となっている。図４（ｂ）と図５（ｂ）を比較すると、図５（ｂ）では消費電力が増加するため、必要容量を表示する矢印の位置が図４（ｂ）に対し右にずれている。これにより、眼鏡４の電池容量が必要容量に満たないこと認識することができる。
【００３０】
以上のように、視聴しようとしている番組の条件に応じたシャッター式眼鏡の電池容量を表示装置にＯＳＤ表示することで、視聴者はシャッター式眼鏡の電池容量がどの程度残っているのか、また視聴しようとしている番組を問題なく視聴できるのかを事前に認識することができる。
【００３１】
図３に戻って説明する。
ステップＳ１１で放送番組の視聴予約時間になったり、記録媒体再生部や記録再生部に対しユーザが再生指示をすると、ＯＳＤ生成部１２２はＯＳＤの生成を中止し、ＯＳＤは消えて番組の再生が開始する。この時、再生開始前に視聴者に対してシャッター式眼鏡の装着を促すためのＯＳＤを生成して表示させても良い。
【００３２】
ステップＳ１２で付加情報解析部１０８は番組が終了したか否かを判断する。
番組が終了していない場合（Ｓ１２／ｎｏ）、ステップＳ１３に進み、状態信号受信部１１４はシャッター式眼鏡２００の電池容量を検出する。ステップＳ１４で比較部１１６はシャッター式眼鏡の電池容量が所定の閾値以下になっているか否か判定し、所定の閾値以下の場合（Ｓ１４／ｙｅｓ）、ステップＳ１５に進みＯＳＤ生成部１２２に対し、視聴者に注意を促すためのＯＳＤを生成するように指示する。図６に、再生中にシャッター式眼鏡の電池容量が所定の閾値以下となった場合のＯＳＤ表示例を示す。図６（ａ）は文字で示した例で、再生時間がまだ９０分残っているのに対し、眼鏡４の電池容量が１０分しかないことを示している。図６（ｂ）はイラスト付きで示した例で、必要容量に対して電池容量が少なくなっていることを示している。
【００３３】
ステップＳ１４で電池容量が所定の閾値以上の場合（Ｓ１４／ｎｏ）、ＯＳＤは生成せず、Ｓ１２に戻る。ステップ１２で番組が終了したと判断した場合（Ｓ１２／ｙｅｓ）、Ｓ１６に進みフローを終了する。
以上のように、再生中にシャッター式眼鏡の容量が無くなりそうになった場合、ＯＳＤ表示により視聴者に通知し、電池交換やバッテリー充電を促すことで、映像情報を視聴中の途中で突然電池が無くなり視聴できなくなることを防ぐことができる。
【００３４】
（実施形態２）
実施形態２に関る、立体映像処理システムの構成例を示すブロック図を図７に示す。実施形態２では実施形態１の構成に加え、状態信号受信部１１４からフレームレート決定部１１２に、シャッター式眼鏡の電池容量情報を送る。実施形態２では視聴しようとする番組の表示フレームレートを決定する基準として、実施形態１で説明した内容に加え、更にシャッター式眼鏡２００の電池容量を参照する。具体的には、図３のフローチャートで説明したステップＳ５の動作が実施形態１と異なる。実施形態１でフレームレート決定部１１２、設定可能なフレームレートの内、最も高いフレームレートに決定したが、実施形態２では、シャッター式眼鏡の電池容量情報をフレームレート決定の基準として新たに加え、シャッター式眼鏡の電池容量が十分にある場合は設定可能なフレームレートの内で最も高いフレームレートに決定し、電池容量が少ない場合は設定可能なフレームレートの内で低いフレームレートに決定する。
シャッター式眼鏡の電池容量が少ない場合にフレームレートを低く設定することでシャッター式眼鏡の消費電力を下げ、長時間使用できるようにすることができる。
【００３５】
本発明は上記の実施形態に限定されることはなく、例えば第１の装置がゲーム機本体であり、電池駆動の第２の装置がゲーム機を操作するリモコンである場合に、ゲーム機から通信により動作を指示する場合に、ゲームの進行によって場面が変化し、設定したレベルやモードや場面によってリモコンからゲーム機に対する出力が少なくてよい場面もあれば、リモコンからゲーム機に対する出力を多くしないと、その場面をクリアして次の場面に進めない場合がある。
このような場合にも、場面によってその場面をクリアするための最小限の時間や、リモコンからゲーム機に対する最小限の出力の情報を有していて、この情報に基づいて、リモコンの必要な電池容量を推定することができる。そしてリモコンの電池容量との比較によって、現在の場面や、次の場面をクリアするためには必要な電池容量が不足している等の表示を、ユーザーに表示することによって、ユーザーは場面の途中でゲームを終了しなければならない等の状況を回避することができる。ここにおける電池とは一次電池、二次電池、または燃料電池であっても構わない。電池容量とはその電池の電池容量を意味するものであり限定的に解釈されるものではない。
【符号の説明】
【００３６】
１００  信号処理装置
１０８  付加情報解析部
１１０  信号処理部
１１２  フレームレート決定部
１１４  状態信号受信部
１１６  比較部
１１８  表示装置対応フレームレート検出部
１２０  必要電池容量算出部
１２２  ＯＳＤ生成部
２００  シャッター式眼鏡
２１２  電池容量検出部
２１４  状態信号送信部
３００  表示装置
【図１】
0005598381.tif 000002
【図２】
0005598381.tif 000003
【図３】
0005598381.tif 000004
【図４】
0005598381.tif 000005
【図５】
0005598381.tif 000006
【図６】
0005598381.tif 000007
【図７】
0005598381.tif 000008